(57)【要約】  薬剤を生体組織へ効果的に送達でき、かつ送達性を調節できるバルーンカテーテルおよびその製造方法並びに処置方法を提供する。  独立した長軸を有して延在する水不溶性薬剤の結晶である複数の長尺体（４２）がバルーン（３０）の外表面に設けられるバルーンカテーテル（１０）であって、バルーン（３０）の外表面に層状に配置される水溶性低分子化合物を含む基層（４１）を有し、長尺体（４２）の少なくとも一部が、基層（４１）の内部に位置する。
2017164278.tif 000002
【特許請求の範囲】
【請求項１】
独立した長軸を有して延在する水不溶性薬剤の結晶である複数の長尺体がバルーンの外表面に設けられるバルーンカテーテルであって、
バルーンの外表面に層状に配置される水溶性低分子化合物を含む基層を有し、
前記長尺体の少なくとも一部は、前記基層の内部に位置するバルーンカテーテル。
【請求項２】
前記長尺体は、基端部が前記バルーンの外表面から離れ、かつ前記基層の内部に位置する第１の長尺体を有する請求項１に記載のバルーンカテーテル。
【請求項３】
前記長尺体は、前記バルーンの外表面から延在する第２の長尺体を有する請求項１または２に記載のバルーンカテーテル。
【請求項４】
前記長尺体は、前記基層の外表面から面外方向へ延在する第３の長尺体を有する請求項１〜３のいずれか１項に記載のバルーンカテーテル。
【請求項５】
前記水不溶性薬剤は、ラパマイシン、パクリタキセル、ドセタキセル、またはエベロリムスである請求項１〜４のいずれか１項に記載のバルーンカテーテル。
【請求項６】
独立した長軸を有して延在する水不溶性薬剤の結晶である複数の長尺体がバルーンの外表面に設けられるバルーンカテーテルの製造方法であって、
薬剤、水溶性低分子化合物、有機溶媒および水を含むコーティング溶液を供給するディスペンシングチューブを前記バルーンの外表面に接触させつつ当該ディスペンシングチューブから前記コーティング溶液を供給し、物理的な刺激を与えることで前記水不溶性薬剤の結晶核を形成するステップと、
水を残しつつ有機溶媒を揮発させて前記結晶核を基に前記長尺体を成長させるステップと、
水を蒸発させて水溶性低分子化合物を含む基層を形成するステップと、を有するバルーンカテーテルの製造方法。
【請求項７】
請求項１に記載のバルーンカテーテルを使用して生体管腔内の病変部に薬剤を送達する処置方法であって、
前記バルーンを生体管腔内に挿入して病変部へ到達させるステップと、
前記バルーンを拡張させて生体組織に押し付け、前記水溶性低分子化合物を含む基層を溶かしつつ前記長尺体を前記生体組織に接触させるステップと、
前記バルーンを収縮させて生体管腔から抜去するステップと、を有する処置方法。
【発明の詳細な説明】
【技術分野】
【０００１】
本発明は、バルーンの外表面に結晶性の薬剤が設けられたバルーンカテーテルおよびその製造方法、並びにバルーンカテーテルを用いた処置方法に関する。
【背景技術】
【０００２】
近年、生体管腔内に生じた病変部（狭窄部）の改善のために、バルーンカテーテルが用いられている。バルーンカテーテルは、通常、長尺なシャフト部と、シャフト部の先端側に設けられて径方向に拡張可能なバルーンとを備えている。収縮されているバルーンを、細い生体管腔を経由して体内の目的場所まで到達させた後に拡張させることで、病変部を押し広げることができる。【０００３】
しかしながら、病変部を強制的に押し広げると、平滑筋細胞が過剰に増殖して病変部に新たな狭窄（再狭窄）が発症する場合がある。このため、最近では、バルーンの外表面に狭窄を抑制するための薬剤をコーティングした薬剤溶出バルーン（Ｄｒｕｇ  Ｅｌｕｔｉｎｇ  Ｂａｌｌｏｏｎ；ＤＥＢ）が用いられている。薬剤溶出バルーンは、拡張することで外表面にコーティングされている薬剤を病変部へ瞬時に放出し、これにより、再狭窄を抑制することができる。【０００４】
近年では、バルーンの外表面にコーティングされる薬剤の形態型（ｍｏｒｐｈｏｌｏｇｉｃａｌ  ｆｏｒｍ）が、病変部におけるバルーン表面からの薬剤の放出性や組織移行性に影響を及ぼすことが明らかになりつつある。例えば特許文献１には、バルーンの外表面に、薬剤の結晶が長尺に形成されたバルーンカテーテルが記載されている。
【先行技術文献】
【特許文献】
【０００５】
【特許文献１】米国特許出願公開第２０１４／０２７１７７５号明細書
【発明の概要】
【発明が解決しようとする課題】
【０００６】
薬剤を溶出するバルーンカテーテルは、治療における効果を高めるため、バルーンの外表面の薬剤の生体組織への送達性が高く、かつ送達性を調節できることが望まれる。【０００７】
本発明は、上述した課題を解決するためになされたものであり、薬剤を生体組織へ効果的に送達でき、かつ送達性を調節できるバルーンカテーテルおよびその製造方法並びに処置方法を提供することを目的とする。
【課題を解決するための手段】
【０００８】
上記目的を達成する本発明に係るバルーンカテーテルは、独立した長軸を有して延在する水不溶性薬剤の結晶である複数の長尺体がバルーンの外表面に設けられるバルーンカテーテルであって、バルーンの外表面に層状に配置される水溶性低分子化合物を含む基層を有し、前記長尺体の少なくとも一部は、前記基層の内部に位置する。
【発明の効果】
【０００９】
上記のように構成したバルーンカテーテルは、バルーンが拡張することで基層に亀裂が入って溶けやすくなり、基層から薬剤結晶である長尺体が放出されやすくなるため、薬剤を効果的に生体組織へ送達できる。さらに、水溶性低分子化合物を含む基層が徐々にまたは速やかに溶けつつ基層の内部の長尺体が生体へ接触し、薬剤が生体組織へ送達されるため、基層の材料や厚さ、基層に対する長尺体の位置により薬剤の送達性を調節できる。【００１０】
前記長尺体は、基端部が前記バルーンの外表面から離れ、かつ前記基層の内部に位置する第１の長尺体を有してもよい。これにより、第１の長尺体の基端部の位置を基層の内部で調節することで、水溶性低分子化合物を含む基層が溶ける時間を利用して、薬剤の生体組織への送達性を調節できる。【００１１】
前記長尺体は、前記バルーンの外表面から延在する第２の長尺体を有してもよい。これにより、第２の長尺体は、基層が溶けるにつれてゆっくりと基層から溶出し、薬剤を生体組織へゆっくりと送達できる。【００１２】
前記長尺体は、前記基層の外表面から面外方向へ延在する第３の長尺体を有してもよい。これにより、第３の長尺体の全体が即座に生体組織へ接触するため、薬剤を瞬時に生体組織へ送達できる。【００１３】
前記水不溶性薬剤は、ラパマイシン、パクリタキセル、ドセタキセル、またはエベロリムスであってもよい。これにより、少なくとも一部が基層の内部に位置する長尺体により、血管内の狭窄部の再狭窄を良好に抑制できる。【００１４】
また、本発明に係るバルーンカテーテルの製造方法は、独立した長軸を有して延在する水不溶性薬剤の結晶である複数の長尺体がバルーンの外表面に設けられるバルーンカテーテルの製造方法であって、薬剤、水溶性低分子化合物、有機溶媒および水を含むコーティング溶液を供給するディスペンシングチューブを前記バルーンの外表面に接触させつつ当該ディスペンシングチューブから前記コーティング溶液を供給し、物理的な刺激を与えることで前記水不溶性薬剤の結晶核を形成するステップと、水を残しつつ有機溶媒を揮発させて前記結晶核を基に前記長尺体を成長させるステップと、水を蒸発させて水溶性低分子化合物を含む基層を形成するステップと、を有する。【００１５】
上記のように構成したバルーンカテーテルの製造方法は、水を含む水溶性低分子化合物の層から有機溶媒が揮発することで、結晶核から薬剤結晶が成長して、基層の内部に少なくとも一部が位置する長尺体を形成できる。【００１６】
また、本発明に係る処置方法は、上述のバルーンカテーテルを使用して生体管腔内の病変部に薬剤を送達する処置方法であって、前記バルーンを生体管腔内に挿入して病変部へ到達させるステップと、前記バルーンを拡張させて生体組織に押し付け、前記水溶性低分子化合物を含む基層を溶かしつつ前記長尺体を前記生体組織に接触させるステップと、前記バルーンを収縮させて生体管腔から抜去するステップと、を有する。【００１７】
上記のように構成した処置方法は、バルーンが拡張することで基層に亀裂が入って溶けやすくなり、基層から薬剤結晶である長尺体が放出されやすくなるため、薬剤を効果的に生体組織へ送達できる。さらに、水溶性低分子化合物を含む基層が徐々にまたは速やかに溶けつつ基層の内部の長尺体が生体組織へ接触し、薬剤が生体組織へ送達されるため、基層の材料や厚さ、基層に対する長尺体の基部の位置により薬剤の送達性を調節できる。
【図面の簡単な説明】
【００１８】
【図１】本実施形態に係るバルーンカテーテルを示す正面図である。
【図２】バルーンカテーテルの先端部の断面図である。
【図３】バルーンの外表面の薬剤結晶からなる長尺体を示す概略斜視図である。
【図４】バルーンの外表面の薬剤結晶からなる長尺体および基層を示す概略図である。
【図５】バルーンコーティング装置を示す正面図である。
【図６】バルーンに接触したディスペンシングチューブを示す断面図である。
【図７】本実施形態に係るバルーンカテーテルにより血管の狭窄部を押し広げた状態を示す断面図である。
【図８】フィルム状アモルファスの状態の基層を示す図である。
【図９】バルーンの外表面の第１の長尺体および基層を示す概略図である。
【図１０】バルーンの外表面の第２の長尺体および基層を示す概略図である。
【図１１】バルーンの外表面の第３の長尺体および基層を示す概略図である。
【図１２】バルーンの外表面の長尺体および基層を示す概略図である。
【図１３】バルーンの外表面の固定側長尺体、分離側長尺体および基層を示す概略図である。
【発明を実施するための形態】
【００１９】
以下、図面を参照して、本発明の実施の形態を説明する。なお、図面の寸法比率は、説明の都合上、誇張されて実際の比率とは異なる場合がある。
【００２０】
本発明の実施形態に係るバルーンカテーテル１０は、図１、２に示すように、バルーン３０の外表面に薬剤の結晶が設けられた薬剤溶出型のカテーテルである。なお、本明細書では、バルーンカテーテル１０の生体管腔に挿入する側を「先端」若しくは「先端側」、操作する手元側を「基端」若しくは「基端側」と称することとする。
【００２１】
まず、バルーンカテーテル１０の構造を説明する。バルーンカテーテル１０は、長尺なカテーテル本体２０と、カテーテル本体２０の先端部に設けられるバルーン３０と、バルーン３０の外表面に設けられる薬剤を含むコート層４０と、カテーテル本体２０の基端に固着されたハブ２６とを有している。コート層４０が設けられたバルーン３０は、使用されるまで、保護シース１５により覆われて保護される。
【００２２】
カテーテル本体２０は、先端および基端が開口した管体である外管２１と、外管２１の内部に配置される管体である内管２２とを備えている。内管２２は、外管２１の中空内部に納められており、カテーテル本体２０は、先端部において二重管構造となっている。内管２２の中空内部は、ガイドワイヤを挿通させるガイドワイヤルーメン２４である。また、外管２１の中空内部であって、内管２２の外側には、バルーン３０の拡張用流体を流通させる拡張ルーメン２３が形成される。内管２２は、開口部２５において外部に開口している。内管２２は、外管２１の先端よりもさらに先端側まで突出している。
【００２３】
バルーン３０は、基端側端部が外管２１の先端部に固定され、先端側端部が内管２２の先端部に固定されている。これにより、バルーン３０の内部が拡張ルーメン２３と連通している。拡張ルーメン２３を介してバルーン３０に拡張用流体を注入することで、バルーン３０を拡張させることができる。拡張用流体は気体でも液体でもよく、例えばヘリウムガス、ＣＯ２ガス、Ｏ２ガス、Ｎ２ガス、Ａｒガス、空気、混合ガス等の気体や、生理食塩水、造影剤等の液体を用いることができる。
【００２４】
バルーン３０の軸心方向における中央部には、拡張させた際に外径が等しい円筒状のストレート部３１（拡張部）が形成され、ストレート部３１の軸心方向の両側に、外径が徐々に変化するテーパ部３３が形成される。そして、ストレート部３１の外表面の全体に、薬剤を含むコート層４０が形成される。なお、バルーン３０においてコート層４０を形成する範囲は、ストレート部３１のみに限定されず、ストレート部３１に加えてテーパ部３３の少なくとも一部が含まれてもよく、または、ストレート部３１の一部のみであってもよい。
【００２５】
ハブ２６は、外管２１の拡張ルーメン２３と連通して拡張用流体を流入出させるポートとして機能する基端開口部２７が形成されている。
【００２６】
バルーン３０の軸心方向の長さは特に限定されないが、好ましくは５〜５００ｍｍ、より好ましくは１０〜３００ｍｍ、さらに好ましくは２０〜２００ｍｍである。
【００２７】
バルーン３０の拡張時の外径は、特に限定されないが、好ましくは１〜１０ｍｍ、より好ましくは２〜８ｍｍである。
【００２８】
バルーン３０のコート層４０が形成される前の外表面は、平滑であり、非多孔質である。バルーン３０のコート層４０が形成される前の外表面は、膜を貫通しない微小な孔があってもよい。または、バルーン３０のコート層４０が形成される前の外表面は、平滑であって非多孔質である範囲と、膜を貫通しない微小な孔がある範囲の両方を備えてもよい。微小な孔の大きさは、例えば、直径が０．１〜５μｍ、深さが０．１〜１０μｍであり、１つの結晶に対して、１つまたは複数の孔を有してもよい。また、微小な孔の大きさは、例えば、直径が５〜５００μｍ、深さが０．１〜５０μｍであり、１つの孔に対して、１つまたは複数の結晶を有してもよい。
【００２９】
バルーン３０は、ある程度の柔軟性を有するとともに、血管や組織等に到達した際に拡張されて、その外表面に有するコート層４０から薬剤を放出できるようにある程度の硬度を有するものが好ましい。具体的には、金属や、樹脂で構成されるが、コート層４０が設けられるバルーン３０の少なくとも外表面は、樹脂で構成されていることが好ましい。バルーン３０の少なくとも外表面の構成材料は、例えば、ポリエチレン、ポリプロピレン、ポリブテン、エチレン−プロピレン共重合体、エチレン−酢酸ビニル共重合体、アイオノマー、あるいはこれら二種以上の混合物等のポリオレフィンや、軟質ポリ塩化ビニル樹脂、ポリアミド、ポリアミドエラストマー、ナイロンエラストマー、ポリエステル、ポリエステルエラストマー、ポリウレタン、フッ素樹脂等の熱可塑性樹脂、シリコーンゴム、ラテックスゴム等が使用できる。そのなかでも、好適にはポリアミド類が挙げられる。すなわち、薬剤をコートするバルーン３０の外表面の少なくとも一部がポリアミド類である。ポリアミド類としては、アミド結合を有する重合体であれば特に制限されないが、例えば、ポリテトラメチレンアジパミド（ナイロン４６）、ポリカプロラクタム（ナイロン６）、ポリヘキサメチレンアジパミド（ナイロン６６）、ポリヘキサメチレンセバカミド（ナイロン６１０）、ポリヘキサメチレンドデカミド（ナイロン６１２）、ポリウンデカノラクタム（ナイロン１１）、ポリドデカノラクタム（ナイロン１２）などの単独重合体、カプロラクタム／ラウリルラクタム共重合体（ナイロン６／１２）、カプロラクタム／アミノウンデカン酸共重合体（ナイロン６／１１）、カプロラクタム／ω−アミノノナン酸共重合体（ナイロン６／９）、カプロラクタム／ヘキサメチレンジアンモニウムアジペート共重合体（ナイロン６／  ６６）などの共重合体、アジピン酸とメタキシレンジアミンとの共重合体、またはヘキサメチレンジアミンとｍ，ｐ−フタル酸との共重合体などの芳香族ポリアミドなどが挙げられる。さらに、ナイロン６、ナイロン６６、ナイロン１１、ナイロン１２などをハードセグメントとし、ポリアルキレングリコール、ポリエーテル、または脂肪族ポリエステルなどをソフトセグメントとするブロック共重合体であるポリアミドエラストマーも、バルーン３０の材料として用いられる。上記ポリアミド類は、１種単独で使用してもよいし、２種以上を併用してもよい。特に、バルーン３０はポリアミドの滑らかな表面を有することが好ましい。
【００３０】
バルーン３０は、その外表面上に、後述する方法によって、直接またはプライマー層等の前処理層を介してコート層４０が形成される。コート層４０は、図３、４に示すように、バルーン３０の外表面に層状に配置される水溶性低分子化合物を含む添加剤層である基層４１（賦形剤）と、独立した長軸を有して延在する水不溶性薬剤の結晶である複数の長尺体４２とを有している。長尺体４２は、基層４１の内部から基層４１の外部へ延在する第１の長尺体４２Ａと、バルーン３０の外表面から基層４１を貫通して基層４１の外部へ延在する第２の長尺体４２Ｂと、基層４１の外表面から面外方向へ延在する第３の長尺体４２Ｃと、を有している。すなわち、長尺体４２の基部４５は、バルーン３０の外表面と直接接触してもよいが、直接接触せずに、バルーン３０の外表面との間に基層４１を構成する賦形剤が存在してもよい。複数の長尺体４２は、バルーン３０の外表面に規則的に配置されてもよい。または、複数の長尺体４２は、バルーン３０の外表面に不規則に配置されてもよい。長尺体４２Ａ、４２Ｂ、４２Ｃは、薬剤の生体への送達性が異なるため、薬剤の結晶の基部４５の位置を調節することで、薬剤の送達性を任意に調節することが可能となる。バルーン３０の表面にはほぼ長尺体４２Ａのみが存在するよう調製してもよい。バルーン３０の表面にほぼ長尺体４２Ｂのみが存在するように調製してもよい。バルーン３０の表面にほぼ長尺体４２Ｃが存在するように調製してもよい。また、バルーン３０の表面には、複数の長尺体の組み合わせが存在するように調製してもよい。例えば、長尺体４２Ａと長尺体４２Ｂの組み合わせ、長尺体４２Ｂと長尺体４２Ｃの組み合わせ、長尺体４２Ｃと長尺体４２Ａの組み合わせ、が挙げられる。バルーン３０の表面に、全ての長尺体４２Ａ、４２Ｂ、４２Ｃが存在するように調製してもよい。
【００３１】
長尺体４２のバルーン３０または基層４１の外表面に対する傾斜角度αは、特に限定されないが、４５度〜１３５度であり、好ましくは６０度〜１２０度であり、より好ましくは７５度〜１０５度であり、さらに好ましくは略９０度である。
【００３２】
コート層４０に含まれる薬剤量は、特に限定されないが、０．１μｇ／ｍｍ２〜１０μｇ／ｍｍ２、好ましくは０．５μｇ／ｍｍ２〜５μｇ／ｍｍ２の密度で、より好ましくは０．５μｇ／ｍｍ２〜３．５μｇ／ｍｍ２、さらに好ましくは１．０μｇ／ｍｍ２〜３μｇ／ｍｍ２の密度で含まれる。コート層４０の結晶の量は、特に限定されないが、好ましくは５〜５００、０００［ｃｒｙｓｔａｌ／（１０μｍ２）］（１０μｍ２当たりの結晶の数）、より好ましくは５０〜５０、０００［ｃｒｙｓｔａｌ／（１０μｍ２）］、さらに好ましくは５００〜５、０００［ｃｒｙｓｔａｌ／（１０μｍ２）］である。
【００３３】
結晶が各々独立した長軸を有する複数の長尺体４２は、これらが組み合された状態で存在していてもよい。隣接する複数の長尺体４２同士が異なる角度を形成した状態で接触して存在してもよい。複数の長尺体４２はバルーン表面上で空間（結晶を含まない空間）をおいて位置していてもよい。バルーン３０の表面に、組み合された状態の複数の長尺体４２と、互いに離れて独立した複数の長尺体４２の両方が存在してもよい。複数の長尺体４２は、異なる長軸方向を有して円周状にブラシ状として配置されてもよい。各々の前記長尺体４２は独立して存在しており、ある長さを有し、その長さ部分の一端（基端）が、基層４１またはバルーン３０に固定されている。長尺体４２は隣接する長尺体４２と複合的な構造を形成せず、連結していない。前記結晶の長軸は、ほぼ直線状である。長尺体４２はその長軸が交わる基部４５が接する表面に対して所定の角度を形成している。
【００３４】
長尺体４２は、互いに接触せずに独立して立っていることが好ましい。長尺体４２の基部４５は、バルーン３０の基材上で他の基部４５と接触していてもよい。または、長尺体４２の基部４５は、バルーン３０の基材上で他の基部４５と接触せずに独立していてもよい。
【００３５】
長尺体４２は、中空である場合と、中実である場合がある。バルーン３０の表面に、中空の長尺体４２と、中実の長尺体４２の両方が存在してもよい。長尺体４２は、中空である場合、少なくともその先端付近が中空である。長尺体４２の長軸に直角な（垂直な）面における長尺体４２の断面は中空を有する。当該中空を有する長尺体４２は長軸に直角な（垂直な）面における長尺体４２の断面が多角形である。当該多角形は、例えば３角形、４角形、５角形、６角形などである。したがって、長尺体４２は先端（または先端面）と基端（または基端面）とを有し、先端（または先端面）と基端（または基端面）との間の側面が複数のほぼ平面で構成された長尺多面体として形成される。また、長尺体４２は、針状であってもよい。この結晶形態型（中空長尺体結晶形態型）は基部４５が接する表面において、ある平面の全体または少なくとも一部を構成する。
【００３６】
長軸を有する長尺体４２の長軸方向の長さは５μｍ〜２０μｍが好ましく、９μｍ〜１１μｍがより好ましく、１０μｍ前後であるのがさらに好ましい。長軸を有する長尺体４２の径は、０．０１μｍ〜５μｍであるのが好ましく、０．０５μｍ〜４μｍであるのがより好ましく、０．１μｍ〜３μｍであるのがさらに好ましい。長軸を有する長尺体４２の長軸方向の長さと径の組み合わせの例として、長さが５μｍ〜２０μｍのときに径が０．０１〜５μｍである組み合わせ、長さが５〜２０μｍのときに径が０．０５〜４μｍである組み合わせ、長さが５〜２０μｍのときに径が０．１〜３μｍである組み合わせが挙げられる。長軸を有する長尺体４２は、長軸方向に直線状であるが、曲線状に湾曲してもよい。バルーン３０の表面に、直線状の長尺体４２と、曲線状の長尺体４２の両方が存在してもよい。
【００３７】
上述した長軸を有する結晶を有する結晶形態型は、バルーン３０の外表面の薬剤結晶全体に対して５０体積％以上、より好ましくは７０体積％以上である。長軸を有する結晶粒子である長尺体４２は、バルーン３０または基層４１の外表面に対して寝ておらず立っているように形成される。基層４１は、長尺体４２がある領域に存在し、長尺体４２がない領域にはなくてもよい。
【００３８】
基層４１は、林立する複数の長尺体４２の間の空間に分配されて存在する。コート層４０を構成する物質の割合は、水不溶性薬剤の結晶の方が、基層４１よりも大きい体積を占めることが好ましい。基層４１を構成する賦形剤は、マトリックスを形成しない。マトリックスとは、比較的高分子の物質（ポリマーなど）が連続して構成された層であり、網目状の三次元構造を形成し、その中に微細な空間が存在する。したがって、結晶を構成する水不溶性薬剤はマトリックス物質中に付着していない。結晶を構成する水不溶性薬剤は、マトリックス物質中に埋め込まれてもいない。
【００３９】
基層４１はバルーン３０の外表面で水溶液の状態でコートされた後、乾燥して層として形成される。基層４１はアモルファスである。基層４１は、結晶粒子であってもよい。基層４１は、アモルファスおよび結晶粒子の混合物として存在してもよい。図４の基層４１は、結晶粒子及び／または粒子状アモルファスの状態である。基層４１は、水不溶性薬剤を含んだ層として形成されている。または、基層４１は、水不溶性薬剤を含まない独立した層として形成されてもよい。基層４１の厚みは、０．１〜５μｍ、好ましくは０．３〜３μｍ、より好ましくは０．５〜２μｍである。
【００４０】
長尺体結晶の形態型を含む層は、体内に送達する際に、毒性が低く、狭窄抑制効果が高い。中空長尺体結晶形態を含む水不溶性薬剤は、薬剤が組織に移行した時に結晶の一つの単位が小さくなるために組織への浸透性が良く、かつ、良好な溶解性を有するため、有効に作用して狭窄を抑制できる。また、薬剤が大きな塊として組織に残留することが少ないために毒性が低くなると考えられる。
【００４１】
また、長尺体結晶形態型を含む層は、複数の、長軸を有するほぼ均一な長尺体４２を有し、かつ基部４５が接する表面にほぼ均一に並び立っている形態型である。したがって、組織に移行する結晶の大きさ（長軸方向の長さ）が約１０μｍと小さい。そのために病変患部に均一に作用し、組織浸透性が高まる。さらに、移行する結晶の寸法が小さいために過剰量の薬剤が、過剰時間、患部に留まることがなくなるために、毒性を発現することなく、高い狭窄抑制効果を示すことが可能であると考える。
【００４２】
バルーン３０の外表面にコーティングされる薬剤は、非結晶質（アモルファス）型を含んでもよい。結晶や非晶質は、コート層４０において規則性を有するように配置されてもよい。または、結晶や非晶質は、不規則に配置されてもよい。
【００４３】
保護シース１５は、バルーン３０からの薬剤の脱落を抑制する部材であり、バルーンカテーテル１０を使用する前に取り除かれる。保護シース１５は、柔軟な材料により構成され、例えば、ポリエチレン、ポリプロピレン、ポリブテン、エチレン−プロピレン共重合体、エチレン−酢酸ビニル共重合体、アイオノマー、あるいはこれら二種以上の混合物等のポリオレフィンや、軟質ポリ塩化ビニル樹脂、ポリアミド、ポリアミドエラストマー、ポリエステル、ポリエステルエラストマー、ポリウレタン、フッ素樹脂等の熱可塑性樹脂、シリコーンゴム、ラテックスゴム等が使用できる。
【００４４】
次に、バルーン３０にコート層４０を形成するためのバルーンコーティング装置５０について説明する。バルーンコーティング装置５０は、図５、６に示すように、バルーンカテーテル１０を回転させる回転機構部６０と、バルーンカテーテル１０を支持する支持台７０とを有する。バルーンコーティング装置５０は、さらに、バルーン３０の外表面にコーティング溶液を塗布するディスペンシングチューブ９４が設けられる塗布機構部９０と、ディスペンシングチューブ９４をバルーン３０に対して移動させるための移動機構部８０と、バルーンコーティング装置５０を制御する制御部９９とを有する。
【００４５】
回転機構部６０は、バルーンカテーテル１０のハブ２６を保持し、内蔵されるモータ等の駆動源によってバルーンカテーテル１０を、バルーン３０の軸心を中心に回転させる。バルーンカテーテル１０は、ガイドワイヤルーメン２４内に芯材６１が挿通されて保持されるとともに、芯材６１によってコーティング溶液のガイドワイヤルーメン２４内への流入が防止されている。また、バルーンカテーテル１０は、拡張ルーメン２３への流体の流通を操作するために、ハブ２６の基端開口部２７に、流路の開閉を操作可能な三方活栓が接続される。
【００４６】
支持台７０は、カテーテル本体２０を内部に収容して回転可能に支持する管状の基端側支持部７１と、芯材６１を回転可能に支持する先端側支持部７２とを備えている。なお、先端側支持部７２は、可能であれば、芯材６１ではなしにカテーテル本体２０の先端部を回転可能に支持してもよい。
【００４７】
移動機構部８０は、バルーン３０の軸心と平行な方向へ直線的に移動可能な移動台８１と、ディスペンシングチューブ９４が固定されるチューブ固定部８３とを備えている。移動台８１は、内蔵されるモータ等の駆動源によって、直線的に移動可能である。チューブ固定部８３は、ディスペンシングチューブ９４の上端を移動台８１に対して固定している。したがって、移動台８１が移動することで、ディスペンシングチューブ９４がバルーン３０の軸心と平行な方向へ直線的に移動する。また、移動台８１は、塗布機構部９０が載置されており、塗布機構部９０を軸心に沿う両方向へ直線的に移動させる。
【００４８】
塗布機構部９０は、バルーン３０の外表面にコーティング溶液を塗布する部位である。塗布機構部９０は、コーティング溶液を収容する容器９２と、任意の送液量でコーティング溶液を送液する送液ポンプ９３と、コーティング溶液をバルーン３０に塗布するディスペンシングチューブ９４とを備えている。
【００４９】
送液ポンプ９３は、例えばシリンジポンプであり、制御部９９によって制御されて、容器９２から吸引チューブ９１を介してコーティング溶液を吸引し、供給チューブ９６を介してディスペンシングチューブ９４へコーティング溶液を任意の送液量で供給できる。送液ポンプ９３は、移動台８１に設置され、移動台８１の移動により直線的に移動可能である。なお、送液ポンプ９３は、コーティング溶液を送液可能であればシリンジポンプに限定されず、例えばチューブポンプであってもよい。
【００５０】
ディスペンシングチューブ９４は、供給チューブ９６と連通しており、送液ポンプ９３から供給チューブ９６を介して供給されるコーティング溶液を、バルーン３０の外表面へ吐出する部材である。ディスペンシングチューブ９４は、可撓性を備えた円管状の部材である。ディスペンシングチューブ９４は、チューブ固定部８３に上端が固定されており、チューブ固定部８３から鉛直方向下方へ延在し、下端である吐出端９７に開口部９５が形成されている。ディスペンシングチューブ９４は、移動台８１を移動させることで、移動台８１に設置される送液ポンプ９３とともに、バルーンカテーテル１０の軸心方向に沿う両方向へ直線的に移動可能である。ディスペンシングチューブ９４はバルーン３０に押し付けられて撓んだ状態で、コーティング溶液をバルーン３０の外表面に供給可能である。
【００５１】
なお、ディスペンシングチューブ９４は、コーティング溶液を供給可能であれば、円管状でなくてもよい。また、ディスペンシングチューブ９４は、開口部９５からコーティング溶液を吐出可能であれば、鉛直方向に延在していなくてもよい。
【００５２】
ディスペンシングチューブ９４は、バルーン３０への接触負担を低減し、かつバルーン３０の回転に伴う接触位置の変化を撓みにより吸収できるように、柔軟な材料であることが好ましい。ディスペンシングチューブ９４の構成材料は、例えば、ポリエチレン、ポリプロピレン等のポリオレフィン、環状ポリオレフィン、ポリエステル、ポリアミド、ポリウレタン、ＰＴＦＥ（ポリテトラフルオロエチレン）、ＥＴＦＥ（テトラフルオロエチレン・エチレン共重合体）、ＰＦＡ（テトラフルオロエチレン・パーフルオロアルキルビニルエーテル共重合体）、ＦＥＰ（四フッ化エチレン・六フッ化プロピレン共重合体）等のフッ素系樹脂等を適用できるが、可撓性を有して変形可能であれば、特に限定されない。
【００５３】
ディスペンシングチューブ９４の外径は、特に限定されないが、例えば０．１ｍｍ〜５．０ｍｍ、好ましくは０．１５ｍｍ〜３．０ｍｍ、より好ましくは０．３ｍｍ〜２．５ｍｍである。ディスペンシングチューブ９４の内径は、特に限定されないが、例えば０．０５ｍｍ〜３．０ｍｍ、好ましくは０．１ｍｍ〜２．０ｍｍ、より好ましくは０．１５ｍｍ〜１．５ｍｍである。ディスペンシングチューブ９４の長さは、特に限定されないが、バルーン直径の５倍以内の長さであることがよく、例えば１．０ｍｍ〜５０ｍｍ、好ましくは３ｍｍ〜４０ｍｍ、より好ましくは５ｍｍ〜３５ｍｍである。
【００５４】
制御部９９は、例えばコンピュータにより構成され、回転機構部６０、移動機構部８０および塗布機構部９０を統括的に制御する。したがって、制御部９９は、バルーン３０の回転速度、ディスペンシングチューブ９４のバルーン３０に対する軸心方向への移動速度、ディスペンシングチューブ９４からの薬剤吐出速度等を、統括的に制御できる。
【００５５】
ディスペンシングチューブ９４によりバルーン３０に供給されるコーティング溶液は、コート層４０の構成材料を含む溶液または懸濁液であり、水不溶性薬剤、賦形剤、有機溶媒および水を含んでいる。コーティング溶液がバルーン３０の外表面に供給された後、有機溶媒および水が揮発することで、バルーン３０の外表面に、独立した長軸を有して延在する水不溶性薬剤の結晶である複数の長尺体４２を有するコート層４０が形成される。
【００５６】
コーティング溶液の粘度は、０．５〜１５００ｃＰ、好ましくは１．０〜５００ｃＰ、より好ましくは１．５〜１００ｃＰである。
【００５７】
水不溶性薬剤とは、水に不溶または難溶性である薬剤を意味し、具体的には、水に対する溶解度が、ｐＨ５〜８で５ｍｇ／ｍＬ未満である。その溶解度は、１ｍｇ／ｍＬ未満、さらに、０．１ｍｇ／ｍＬ未満でもよい。水不溶性薬剤は脂溶性薬剤を含む。
【００５８】
いくつかの好ましい水不溶性薬剤の例は、免疫抑制剤、例えば、シクロスポリンを含むシクロスポリン類、ラパマイシン等の免疫活性剤、パクリタキセル等の抗がん剤、抗ウイルス剤または抗菌剤、抗新生組織剤、鎮痛剤および抗炎症剤、抗生物質、抗てんかん剤、不安緩解剤、抗麻痺剤、拮抗剤、ニューロンブロック剤、抗コリン作動剤およびコリン作動剤、抗ムスカリン剤およびムスカリン剤、抗アドレナリン作用剤、抗不整脈剤、抗高血圧剤、ホルモン剤ならびに栄養剤を含む。
【００５９】
水不溶性薬剤は、好ましくは、ラパマイシン、パクリタキセル、ドセタキセル、エベロリムスからなる群から選択される少なくとも１つが好ましい。本明細書においてラパマイシン、パクリタキセル、ドセタキセル、エベロリムスとは、同様の薬効を有する限りそれらの類似体および／またはそれらの誘導体を含む。例えば、パクリタキセルとドセタキセルは類似体の関係にある。ラパマイシンとエベロリムスは誘導体の関係にある。これらのうちでは、パクリタキセルがさらに好ましい。
【００６０】
賦形剤は、バルーン３０上で基層４１を構成する。賦形剤は、水溶性の低分子化合物を含む。水溶性の低分子化合物の分子量は、５０〜２０００であり、好ましくは５０〜１０００であり、より好ましくは５０〜５００であり、さらに好ましくは５０〜２００である。水溶性の低分子化合物は、水不溶性薬剤１００質量部に対して、好ましくは５〜１００００質量部、より好ましくは５〜２００質量部、さらに好ましくは８〜１５０質量部である。水溶性の低分子化合物の構成材料は、セリンエチルエステル、クエン酸エステル、ポリソルベート、水溶性ポリマー、糖、造影剤、アミノ酸エステル、短鎖モノカルボン酸のグリセロールエステル、医薬として許容される塩および界面活性剤等、あるいはこれら二種以上の混合物等が使用できる。水溶性の低分子化合物は、親水基と疎水基を有し、水に溶解することを特徴とする。水溶性の低分子化合物は、非膨潤性または難膨潤性であることが好ましい。賦形剤は、バルーン３０上でアモルファス（非晶質）であることが好ましい。水溶性の低分子化合物を含む賦形剤は、バルーン３０の外表面上で水不溶性薬剤を均一に分散させる効果を有する。基層４１となる賦形剤は、ハイドロゲルでないことが好ましい。基層４１は低分子化合物であることで、水溶液に接すると膨潤することなく速やかに溶解する。さらに、血管内でのバルーン３０の拡張時に基層４１が溶解しやすくなることで、バルーン３０の外表面上の水不溶性薬剤の結晶粒子を放出しやすくなり、血管への薬剤の結晶粒子の付着量を増加させる効果を有する。基層４１がウルトラビスト（Ｕｌｔｒａｖｉｓｔ）（登録商標）のような造影剤からなるマトリクスである場合、結晶粒子がマトリクスに埋め込まれ、バルーン３０の基材上からマトリクスの外側に向かって結晶が生成しない。これに対し、本実施形態の長尺体４２は、バルーン３０の基材の表面から基層４１の外側まで延在する。長尺体４２の基層４１よりも外側に位置する部分の長さは、長尺体４２の基層４１内に位置する部分の長さより長い。基層４１は、結晶である長尺体４２の基部４５を支持するように形成される。
【００６１】
有機溶媒は、特に限定されず、テトラヒドロフラン、アセトン、グリセリン、エタノール、メタノール、ジクロロメタン、ヘキサン、エチルアセテートである。中でも、テトラヒドロフラン、エタノール、アセトンのうち、これらのいくつかの混合溶媒が好ましい。
【００６２】
有機溶媒と水の混合例として、例えば、テトラヒドロフランと水、テトラヒドロフランとエタノールと水、テトラヒドロフランとアセトンと水、アセトンとエタノールと水、テトラヒドロフランとアセトンとエタノールと水が挙げられる。
【００６３】
次に、上述したバルーンコーティング装置５０を用いてバルーン３０の外表面に水不溶性薬剤の結晶を形成する方法を説明する。
【００６４】
初めに、バルーンカテーテル１０の基端開口部２７に接続した三方活栓を介して拡張用の流体をバルーン３０内に供給する。次に、バルーン３０を拡張させた状態で三方活栓を操作して拡張ルーメン２３を密封し、バルーン３０を拡張させた状態を維持する。バルーン３０は、血管内での使用時の圧力（例えば８気圧）よりも低い圧力（例えば４気圧）で拡張される。なお、バルーン３０を拡張させずに、バルーン３０の外表面にコート層４０を形成することもでき、その場合には、拡張用の流体をバルーン３０内に供給する必要はない。
【００６５】
次に、ディスペンシングチューブ９４がバルーン３０の外表面と接触しない状態で、バルーンカテーテル１０を支持台７０に回転可能に設置し、ハブ２６を回転機構部６０に連結する。
【００６６】
次に、移動台８１の位置を調節して、ディスペンシングチューブ９４を、バルーン３０に対して位置決めする。このとき、バルーン３０においてコート層４０を形成する最も先端側の位置に、ディスペンシングチューブ９４を位置決めする。一例として、ディスペンシングチューブ９４の延在方向（吐出方向）は、バルーン３０の回転方向と逆方向である。したがって、バルーン３０は、ディスペンシングチューブ９４を接触させた位置において、ディスペンシングチューブ９４からのコーティング溶液の吐出方向と逆方向に回転する。これにより、コーティング溶液に物理的な刺激を与え、薬剤結晶の結晶核の形成を促すことができる。そして、ディスペンシングチューブ９４の開口部９５へ向かう延在方向（吐出方向）が、バルーン３０の回転方向と逆方向であることで、バルーン３０の外表面に形成される水不溶性薬剤の結晶は、結晶が各々独立した長軸を有する複数の長尺体４２を含む形態型（ｍｏｒｐｈｏｌｏｇｉｃａｌ  ｆｏｒｍ）を含んで形成されやすい。なお、ディスペンシングチューブ９４の延在方向は、バルーン３０の回転方向と逆方向でなくてもよく、したがって同方向とすることができ、または垂直とすることもできる。
【００６７】
次に、送液ポンプ９３により送液量を調節しつつコーティング溶液をディスペンシングチューブ９４へ供給し、回転機構部６０によりバルーンカテーテル１０を回転させるとともに、移動台８１を移動させて、ディスペンシングチューブ９４をバルーン３０の軸心方向に沿って徐々に基端方向へ移動させる。ディスペンシングチューブ９４の開口部９５から吐出されるコーティング溶液は、ディスペンシングチューブ９４がバルーン３０に対して相対的に移動することで、バルーン３０の外周面に螺旋を描きつつ塗布される。
【００６８】
ディスペンシングチューブ９４の移動速度は、特に限定されないが、例えば０．０１〜２ｍｍ／ｓｅｃ、好ましくは０．０３〜１．５ｍｍ／ｓｅｃ、より好ましくは０．０５〜１．０ｍｍ／ｓｅｃである。コーティング溶液のディスペンシングチューブ９４からの吐出速度は、特に限定されないが、例えば０．０１〜１．５μＬ／ｓｅｃ、好ましくは０．０１〜１．０μＬ／ｓｅｃ、より好ましくは０．０３〜０．８μＬ／ｓｅｃである。バルーン３０の回転速度は、特に限定されないが、例えば１０〜３００ｒｐｍ、好ましくは３０〜２５０ｒｐｍ、より好ましくは５０〜２００ｒｐｍである。コーティング溶液を塗布する際のバルーン３０の直径は、特に限定されないが、例えば１〜１０ｍｍ、好ましくは２〜７ｍｍである。
【００６９】
この後、バルーン３０の外表面に塗布されたコーティング溶液に含まれる有機溶媒が、水よりも先に揮発する。したがって、バルーン３０の外表面に、水不溶性薬剤、水溶性低分子化合物および水が残された状態で、有機溶媒が揮発する。このように、水が残された状態で有機溶媒が揮発すると、水不溶性の薬剤が、水を含む水溶性低分子化合物の内部で析出し、結晶核から結晶が徐々に成長して、バルーン３０の外表面に、結晶が各々独立した長軸を有する複数の長尺体４２を含む形態型（ｍｏｒｐｈｏｌｏｇｉｃａｌ  ｆｏｒｍ）の薬剤結晶が形成される。長尺体４２の基部４５は、バルーン３０の外表面、基層４１の表面または基層４１内部に位置する（図４を参照）。有機溶媒が揮発して薬剤結晶が複数の長尺体４２として析出した後、水が有機溶媒よりもゆっくり蒸発し、水溶性低分子化合物を含む基材４１が形成される。水が蒸発する時間は、薬剤の種類、水溶性低分子化合物の種類、有機溶媒の種類、材料の比率、コーティング溶液の塗布量等に応じて適宜設定されるが、例えば、１〜６００秒程度である。
【００７０】
そして、バルーン３０を回転させつつディスペンシングチューブ９４を徐々にバルーン３０の軸心方向へ移動させることで、バルーン３０の外表面に、軸心方向へ向かってコート層４０を徐々に形成する。バルーン３０のコーティングする範囲の全体に、長尺体４２を有するコート層４０が形成された後、回転機構部６０、移動機構部８０および塗布機構部９０を停止させる。
【００７１】
この後、バルーンカテーテル１０をバルーンコーティング装置５０から取り外して、バルーン３０のコーティングが完了する。この後、バルーン３０から拡張用流体を排出し、バルーン３０を収縮させて折り畳む。次に、バルーン３０を筒状の保護シース１５（図１を参照）で覆って、バルーンカテーテル１０の製造が完了する。保護シース１５は、バルーン３０からの薬剤の脱落を抑制する部材であり、バルーンカテーテル１０を使用する前に取り除かれる。
【００７２】
次に、本実施形態に係るバルーンカテーテル１０の使用方法を、血管内の狭窄部を治療する場合を例として説明する。
【００７３】
まず、術者は、セルジンガー法等の公知の方法により、皮膚から血管を穿刺し、イントロデューサ（図示せず）を留置する。次に、バルーンカテーテル１０の保護シース１５を外し、プライミングを行った後、ガイドワイヤルーメン２４内にガイドワイヤ２００（図７を参照）を挿入する。この状態で、ガイドワイヤ２００およびバルーンカテーテル１０をイントロデューサの内部より血管内へ挿入する。続いて、ガイドワイヤ２００を先行させつつバルーンカテーテル１０を進行させ、バルーン３０を狭窄部へ到達させる。なお、バルーンカテーテル１０を狭窄部３００まで到達させるために、ガイディングカテーテルを用いてもよい。
【００７４】
次に、ハブ２６の基端開口部２７より、インデフレーターまたはシリンジ等を用いて拡張用流体を所定量注入し、拡張ルーメン２３を通じてバルーン３０の内部に拡張用流体を送り込む。これにより、図７に示すように、折り畳まれたバルーン３０が拡張し、狭窄部３００が、バルーン３０によって押し広げられる。このとき、バルーン３０の外表面に設けられる薬剤結晶を含むコート層４０が、狭窄部３００に接触する。
【００７５】
バルーン３０を拡張させてコート層４０を生体組織に押し付けると、コート層４０に含まれる水溶性の低分子化合物である基層４１が徐々にまたは速やかに溶けつつ、薬剤が生体へ送達される。薬剤の結晶である第１の長尺体４２Ａ、第２の長尺体４２Ｂ、および第３の長尺体４２Ｃは、基層４１に対する基部４５の位置が異なるため、基層４１が徐々にまたは速やかに溶けることで、生体組織への送達性が異なる。また、バルーン３０が拡張することで基層４１に亀裂が入って溶けやすくなり、基層４１から薬剤結晶である長尺体４２が放出されやすくなる。このため、長尺体４２の基部４５の位置を調節して溶出性の異なる第１の長尺体４２Ａ、第２の長尺体４２Ｂ、および第３の長尺体４２Ｃを設けることで、薬剤の送達性を任意に設定することが可能である。
【００７６】
この後、拡張用流体をハブ２６の基端開口部２７より吸引して排出し、バルーン３０を収縮させて折り畳まれた状態とする。この後、イントロデューサを介して血管よりガイドワイヤ２００およびバルーンカテーテル１０を抜去し、手技が終了する。
【００７７】
以上のように、本実施形態に係るバルーンカテーテル１０は、独立した長軸を有して延在する水不溶性薬剤の結晶である複数の長尺体４２がバルーン３０の外表面に設けられるカテーテルであって、バルーン３０の外表面に層状に配置される水溶性低分子化合物を含む基層４１を有し、長尺体４２の少なくとも一部が、基層４１の内部に位置する。このように構成したバルーンカテーテル１０は、バルーン３０が拡張することで基層４１に亀裂が入って基層４１が溶けやすくなり、基層４１から薬剤結晶である長尺体４２が放出されやすくなるため、薬剤を効果的に生体組織へ送達できる。さらに、水溶性低分子化合物を含む基層４１が徐々にまたは速やかに溶けつつ、基層４１の内部の長尺体４２が生体組織に接触し、薬剤が生体組織へ送達されるため、基層４１の材料や厚さ、基層４１に対する長尺体４２の基部４５の位置により、薬剤の送達性を調節できる。
【００７８】
また、長尺体４２は、基部４５がバルーン３０の外表面から離れ、かつ基層４１の内部に位置する第１の長尺体４２Ａを有する。これにより、第１の長尺体４２Ａの基部４５の位置を基層４１の内部で調節することで、水溶性低分子化合物を含む基層４１が溶ける時間を利用して、薬剤の生体組織への送達性を調節できる。
【００７９】
また、長尺体４２は、バルーン３０の外表面から延在する第２の長尺体４２Ｂを有する。このため、バルーン３０の外表面から延在する第２の長尺体４２Ｂは、水溶性低分子化合物を含む基層４１が溶けるにつれてゆっくりと基層４１から溶出し、薬剤を生体組織へゆっくりと送達できる。
【００８０】
長尺体４２は、基層４１の外表面から面外方向へ延在する第３の長尺体４２Ｃを有する。このため、第３の長尺体４２Ｃは、全体が即座に生体組織へ接触し、薬剤を瞬時に生体組織へ送達できる。
【００８１】
また、水不溶性薬剤は、ラパマイシン、パクリタキセル、ドセタキセル、またはエベロリムスであってもよい。これにより、長尺体４２により、血管内の狭窄部の再狭窄を良好に抑制できる。
【００８２】
また、本実施形態に係るバルーンカテーテル１０の製造方法は、独立した長軸を有して延在する水不溶性薬剤の結晶である複数の長尺体４２をバルーン３０の外表面に有するバルーンカテーテル１０の製造方法であって、薬剤、水溶性低分子化合物、有機溶媒および水を含むコーティング溶液を供給するディスペンシングチューブ９４をバルーン３０の外表面に接触させつつ当該ディスペンシングチューブ９４からコーティング溶液を供給し、物理的な刺激を与えることで水不溶性薬剤の結晶核を形成するステップと、水を残しつつ有機溶媒を揮発させて結晶核を基に長尺体４２を成長させるステップと、水を蒸発させて水溶性低分子化合物を含む基層４１を形成するステップと、を有する。上記のように構成したバルーンカテーテル１０の製造方法は、水を含む水溶性低分子化合物の層から有機溶媒が揮発することで、結晶核から薬剤結晶が成長して、基層４１の内部に少なくとも一部が位置する長尺体４２を形成できる。
【００８３】
また、本発明は、上述のバルーンカテーテル１０を用いて生体管腔内の病変部に薬剤を送達する処置方法（治療）方法をも含む。当該処置方法は、バルーン３０を生体管腔内に挿入して病変部へ到達させるステップと、バルーン３０を拡張させて生体組織に押し付け、水溶性低分子化合物を含む基層４１を溶かしつつ長尺体４２を生体組織に接触させるステップと、バルーン３０を収縮させて生体管腔から抜去するステップと、を有する。このように構成した処置方法は、バルーン３０が拡張することで基層４１に亀裂が入って溶けやすくなり、基層４１から薬剤結晶である長尺体４２が放出されやすくなるため、薬剤を効果的に生体組織へ送達できる。さらに、水溶性低分子化合物を含む基層４１が徐々にまたは速やかに溶けつつ、基層４１の内部の長尺体４２が生体組織へ接触し、薬剤が生体組織へ送達されるため、基層４１の材料や厚さ、基層４１に対する長尺体４２の基部４５の位置により薬剤の送達性を調節できる。
【００８４】
なお、本発明は、上述した実施形態のみに限定されるものではなく、本発明の技術的思想内において当業者により種々変更が可能である。例えば、上述の実施形態に係るバルーンカテーテル１０は、ラピッドエクスチェンジ型（Ｒａｐｉｄ  ｅｘｃｈａｎｇｅ  ｔｙｐｅ）であるが、オーバーザワイヤ型（Ｏｖｅｒ−ｔｈｅ−ｗｉｒｅ  ｔｙｐｅ）であってもよい。
【００８５】
前述のように、基層４１は、アモルファス、結晶粒子、または、その混合物として存在する。図４の基層４１は、結晶粒子及び／または粒子状アモルファスの状態であるが、図８に示すように、基層４１がフィルム状アモルファスの状態であってもよい。図９に示すように、第１の長尺体４２Ａは、基層４１の内部から基層４１の外部へ延在する。図１０に示すように、第２の長尺体４２Ｂは、バルーン３０の外表面から基層４１を貫通して基層４１の外部へ延在する。図１１に示すように、第３の長尺体４２Ｃは、基層４１の外表面から面外方向へ延在する。
【００８６】
また、図１２に示すように、添加剤層である基層４１は、凹凸を有してもよい。凹凸の高さは、０．１μｍ〜５μｍである。結晶である長尺体４２は、基層４１の凹凸を形成する凸状部４３から突出している。すなわち、基層４１の凸状部４３が、結晶である長尺体４２を支持している。なお、基層４１は、長尺体４２が突出していない凸状部４３を有してもよい。結晶である長尺体４２は、基層４１の凹凸を形成する凹状部４４から突出してもよい。基層４１は、長尺体４２を支持する凸状部４３と、長尺体４２を支持しない凸状部４３の両方を有してもよい。基層４１は、長尺体４２を支持する凹状部４４と、長尺体４２を支持しない凹状部４４の両方を有してもよい。また、基層４１は、長尺体４２を支持する凸状部４３と、長尺体４２を支持する凹状部４４の両方を有してもよい。長尺体４２は、バルーン３０の外表面に対して傾斜するように、基層４１から斜めに突出してもよい。基層４１は、バルーン３０の外表面に対して略垂直な長尺体４２と、バルーン３０の外表面に対して傾斜する長尺体４２の両方を有してもよい。長尺体４２の基部４５は、バルーン３０の外表面と直接接触してもよい。または、長尺体４２の基部４５は、バルーン３０の外表面と接触せずに、基層４１の内部に位置してもよい。基層４１は、バルーン３０の外表面と直接接触する長尺体４２と、バルーン３０の外表面と接触しない長尺体４２の両方を有してもよい。
【００８７】
また、図１３に示すように、結晶は、元々基層４１から突出している固定側長尺体４６（バルーン基材接触結晶粒子）と、固定側長尺体４６から分離した分離側長尺体４７（バルーン基材非接触結晶粒子）とを有してもよい。固定側長尺体４６の量は、分離側長尺体４７よりも多い。分離側長尺体４７は、バルーン３０を内管２２に対し巻き付けるように折り畳む際に、長尺な結晶が折れて、固定側長尺体４６から分離して形成される。分離側長尺体４７の先端部、基端部、先端部と基端部の間の部位の少なくとも一部は、基層４１と接触している。分離側長尺体４７の一部は、基層４１に埋め込まれてもよい。基層４１があることで、固定側長尺体４６および分離側長尺体４７は、基層４１との相互作用により、搬送時にバルーン３０から脱落し難い。固定側長尺体４６および分離側長尺体４７は、バルーン３０が拡張して水（血液）と接触することで基層４１が溶解し、放出されやすくなる。形態が異なる固定側長尺体４６および分離側長尺体４７は、放出性に違いがあるため、生体に作用させる上で好ましい。固定側長尺体４６は、結晶が折れて形成される場合と、結晶が折れずに形成される場合がある。基層４１は、結晶が折れて形成される固定側長尺体４６と、結晶が折れずに形成される固定側長尺体４６の両方を有してもよい。固定側長尺体４６は、基層４１から立っている場合と、基層４１に沿って寝ている場合がある。基層４１は、基層４１から立っている固定側長尺体４６と、基層４１に沿って寝ている固定側長尺体４６の両方を有してもよい。
【００８８】
折れる前の基層４１に固定された結晶の長さは、例えば５μｍ〜２０μｍである。折れた結晶の長さは、例えば３μｍ〜２０μｍである。折れて形成される固定側長尺体４６の長さは、例えば５μｍ〜２０μｍである。分離側長尺体４７の長さは、例えば３μｍ〜１０μｍである。
【００８９】
なお、本出願は、２０１６年３月２３日に出願された日本特許出願番号２０１６−０５８０３０号に基づいており、それらの開示内容は、参照され、全体として、組み入れられている。
【符号の説明】
【００９０】
１０    バルーンカテーテル、
２０    カテーテル本体、
２１    外管、
２２    内管、
３０    バルーン、
４０    コート層、
４１    基層、
４２    長尺体、
４２Ａ    第１の長尺体、
４２Ｂ    第２の長尺体、
４２Ｃ    第３の長尺体、
４６    固定側長尺体（バルーン基材接触結晶粒子）、
４７    分離側長尺体（バルーン基材接触結晶粒子）、
５０    バルーンコーティング装置、
９４    ディスペンシングチューブ。
【図１】
2017164278.tif 000003
【図２】
2017164278.tif 000004
【図３】
2017164278.tif 000005
【図４】
2017164278.tif 000006
【図５】
2017164278.tif 000007
【図６】
2017164278.tif 000008
【図７】
2017164278.tif 000009
【図８】
2017164278.tif 000010
【図９】
2017164278.tif 000011
【図１０】
2017164278.tif 000012
【図１１】
2017164278.tif 000013
【図１２】
2017164278.tif 000014
【図１３】
2017164278.tif 000015
【国際調査報告】
2017164278.tif 000016
2017164278.tif 000017
2017164278.tif 000018
2017164278.tif 000019